(57)【特許請求の範囲】
【請求項１】
熱変色インクによる筆跡用の筆記体と、熱変色インクとは異なる種類の筆跡用の筆記体とを具備し、前記熱変色インクによる筆跡を消去するための第１の消去部材と、前記熱変色インクとは異なる種類の筆跡を消去するための第２の消去部材と、をさらに具備し、
第１の消去部材と第２の消去部材とが一体で構成されていることを特徴とする消去具を備えた筆記具。
【請求項２】
第１の消去部材のデュロメータ硬度と第２の消去部材のデュロメータ硬度とが、異なることを特徴とする請求項１記載の筆記具。
【発明の詳細な説明】
【技術分野】
【０００１】
本発明は、ボールペン、マーキングペン、万年筆、鉛筆、色鉛筆、熱変色インク等で筆記した筆記描線を消去することができる消去具を備えた筆記具に関する。
【背景技術】
【０００２】
従来、市販の消しゴムにより筆跡を消去することができる消去具が多く開示されている。しかしながら、市販の消しゴムを、摩擦熱により筆跡を消去する消去具として用いる場合には、筆跡を効率よく消去することができない。そこで、特許文献１のような消去部に弾性を有する合成樹脂とした摩擦体が開示されている。しかし、特許文献１の摩擦体では、熱変色性インクの筆跡を消去することは容易でも、従来の鉛筆芯や消しゴム消去性のインク等の筆跡を消去することが困難である。
【先行技術文献】
【特許文献】
【０００３】
【特許文献１】特開２００９−１０７２４０号公報
【発明の概要】
【発明が解決しようとする課題】
【０００４】
そこで、熱変色インクの筆跡でも鉛筆芯の筆跡でも、筆記具のインクや芯の種類によらず、筆跡を消去可能な消去具を備えた筆記具を提供することを課題とする。
【課題を解決するための手段】
【０００５】
本発明の一態様によれば、熱変色インクによる筆跡を消去するための第１の消去部材と、熱変色インクとは異なる種類の筆跡を消去するための第２の消去部材と、を有することを特徴とする消去具を備えた筆記具が提供される。なお、ここで挙げる筆跡の消去とは、熱変色インクにおける消色並びに変色も含まれる。
【０００６】
また、本発明の別の態様によれば、第１の消去部材と第２の消去部材とが軸筒内に収容されていることを特徴とする筆記具が提供される。
【０００７】
また、本発明の別の態様によれば、第１の消去部材と第２の消去部材とが一体で構成されていることを特徴とする筆記具が提供される。
【０００８】
また、本発明の別の態様によれば、第１の消去部材のデュロメータ硬度と第２の消去部材のデュロメータ硬度とが、異なることを特徴とする筆記具が提供される。
【発明の効果】
【０００９】
本発明によれば、熱変色インクの筆跡でも鉛筆芯の筆跡でも、筆記具のインクや芯の種類によらず、筆跡を消去可能な消去具を備えた筆記具を提供することができる。すなわち、複数のインク又は芯を収容した様々な筆記具による筆跡を消去することができる。
【図面の簡単な説明】
【００１０】
【図１】本発明における第１例の消去具を備えた筆記具の縦断面図である。
【図２】本発明における第２例の消去具を備えた筆記具の縦断面図である。
【図３】本発明における第２例の消去具を備えた筆記具の後部の拡大縦断面図である。
【図４】本発明における第２例の消去具を備えた筆記具の使用状態を示す後部の拡大縦断面図である。
【図５】本発明における第３例の消去具を備えた筆記具の後部の拡大縦断面図である。
【図６】本発明における第３例の消去具を備えた筆記具の使用状態を示す後部の拡大縦断面図である。
【図７】本発明における第４例の消去具を備えた筆記具の縦断面図である。
【図８】本発明における第５例の消去具を備えた筆記具の縦断面図である。
【発明を実施するための形態】
【００１１】
以下、図面を参酌して説明する。
図１は、本発明の第１例であるノック式筆記具の形態となっている。本実施例は、図に示す様にノックカバーと一体になった第１の消去部材である熱変色インク用の消去具１０が一本のノック式消去具であり、第２の消去部材である鉛筆芯用の消去具１１が軸筒３１内に収容される構成となっている。一般的な筆記具と同形態の一本の消去具とすることで幅が嵩まないことから、筆記具ケース等への収納を容易とし、携帯性に優れるという利点を有する。なお、本明細書中では、筆記部が突出する側を「前」側と規定し、筆記部とは反対側を「後」側と規定する。
【００１２】
ここで、熱変色インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色インクにおいて、上記第２色を無色とし、第１色（例えば赤）で筆記された描線を昇温させて無色とすることを、ここでは「消去する」ということとする。従って以下の実施形態では、描線が筆記された紙面等に対して摩擦体としての熱変色インク用の消去具によって擦過して摩擦熱を生じさせ、それによって描線を無色に変化、すなわち消去させる。なお、当然のことながら上記第２色は、無色以外の有色でもよい。また、特開２０１０−２４１８６７に記載されるような、不可逆熱変色インクとしてもよい。
【００１３】
また、本発明における第２の消去部材によって消去される描線を筆記するものとして、鉛筆芯のみならずシャープペンシルの芯、熱変色インクではない擦過によって消去可能なインクによる筆跡も含まれる。例えば消去可能なインクとは、水と、非熱可塑性の着色樹脂粒子と、非着色粒子とが少なくとも含有されたインクを示す。
【００１４】
鉛筆芯用の消去具１１の先端部分を軸筒３１から繰り出す動作として、熱変色インク用の消去具１０の後端をノックして前進させると、それと連動してチャック体３４と締め具３５が一体となって前進する。次いで、締め具３５の前端が口プラ３２の後端に当接して前進を阻止されると、チャック体３４のみが更に前進してその先端のテーパー部分３６が拡開する。その結果、鉛筆芯用の消去具１１がチャック体３４の先端孔を自重で挿通し、鉛筆芯用の消去具１１の先端が口プラ３２の内径部３３の後端に当接状態となる。こうしたノックを繰り返すことによって、鉛筆芯用の消去具１１は口プラ３２の内径部３３の先端から順次突出する。こうした機構は、通常知られるノック式のシャープペンシルと同じなのでそれ以上の説明は省略する。
【００１５】
また、軸筒３１の先端には口プラ３２が相互の螺合等により固着されている。また、口プラ３２の内径部３３には鉛筆芯用の消去具１１の外面に摩擦係合して適宜に鉛筆芯用の消去具１１を保持する部位が突起又はリブ等で形成されている。なお、口プラ３２を後述する熱変色インク用の消去具の材料で形成することによって、熱変色インク用の消去具として利用してもよい。それにより、鉛筆芯用の消去具と熱変色インク用の消去具との切り替えを容易にすることもできる。
【００１６】
図２は、本発明における第２例の消去具を備えた筆記具である複式筆記具である。図２に示された複式筆記具は、後端のノックカバー４５を前方へ押圧することで、筆記体４１が軸筒３１の先端から露出して筆記可能となり、クリップ６０の後端部を軸心に押圧することで筆記体４１が軸筒３１内に収容される。具体的には、この複式筆記具は、軸筒３１内に複数の筆記体４１と、軸筒３１内に配置されかつ筆記体４１の各々を区画して配置するガイド筒４２と、複式筆記具の長手方向に延びる棒状に形成されかつ筆記体の後方に配置された振り子４３と、振り子４３の後端部に取り付けられたスライド駒４４と、ノックカバー４５とを有している。そして、所望する筆跡を得るための筆記体４１の選択を、重力に従動する振り子４３によって行うようにしている。すなわち、ユーザーは、所望する筆記体４１の位置に対応させて軸筒３１を鉛直方向に対して傾斜させることで、振り子４３を重力により傾動させ、振り子４３の先端が所望する筆記体４１の後端と相対向するようにガイド筒４２の対応する区画に位置合わせする。次いで、ユーザーは、ノックカバー４５をノック操作して、位置合わせした振り子４３を前進させて所望する筆記体４１を押圧して、筆記体４１の先端を軸筒３１の先端より突出させる。この複式筆記具は、片手で筆記体を突出又は収納させることができる上に、軸筒から外方に突出した操作部を持つ複式筆記具と比べて、軸筒の意匠性に優れた筆記具とすることができる。
【００１７】
複式筆記具の軸筒３１内に収容された複数の筆記体４１には、シャープペンシル及びボールペンが、少なくとも各々１本以上含まれている。シャープペンシルには鉛筆芯が収容され、ボールペンには熱変色インクが充填されている。または、シャープペンシルには熱変色インクと同様の性質を有する熱変色芯が収容され、ボールペンには消しゴム消去性インクが充填されるようにしてもよい。または、軸筒３１内にシャープペンシルの筆記体４１を追加し、その芯を鉛筆芯用の消去具又は熱変色インク用の消去具としてもよい。さらに、筆記体４１は、サインペン体、筆体等であってもよい。
【００１８】
図３は、本発明における第２例の消去具を備えた筆記具の後部の拡大縦断面図である。複式筆記具の後端のノックカバー４５は、第１の消去部材である熱変色インク用の消去具１０として使用可能である。また、ノックカバー４５内には、軸筒３１の後端部に設けられた筒状のノックパイプ４６に対して、筒状の消去部材ホルダ４７が着脱可能に嵌め込まれている。消去部材ホルダ４７は、円柱状に形成されかつ第２の消去部材である鉛筆芯用の消去具１１を保持している。従って、鉛筆芯用の消去具１１は、消去部材ホルダ４７を介して、ノックパイプ４６、すなわち軸筒３１に対して着脱可能である。このため、鉛筆芯用の消去具１１は、ノックパイプ４６に対する着脱時に側面を損傷することがない。
【００１９】
図４は、本発明における第２例の消去具を備えた筆記具の使用状態を示す後部の拡大縦断面図である。熱変色インクの筆跡を消去する場合には、熱変色インク用の消去具１０であるノックカバー４５によって筆跡を擦過して摩擦熱を生じさせて消去する。このとき、ノックカバー４５は、軸筒３１の後端部に取り付けた状態で使用してもよく、又は軸筒３１から取り外した単体の状態で使用してもよい。
【００２０】
他方、鉛筆芯の筆跡を消去する場合には、ノックカバー４５を取り外し、鉛筆芯用の消去具１１によって筆跡を擦過して消去する。このとき、鉛筆芯用の消去具１１は、軸筒３１の後端部に取り付けた状態で使用してもよく、又は消去部材ホルダ４７と共に軸筒３１から取り外した単体の状態で使用してもよい。
【００２１】
なお、本実施例において、消去部材ホルダ４７に保持される消去具を熱変色インク用の消去具１０の材料で形成することによって、熱変色インク用の消去具として利用してもよく、ノックカバー４５を鉛筆芯用の消去具１１の材料で形成することによって、鉛筆芯用の消去具として利用してもよい。
【００２２】
図５は、本発明における第３例の消去具を備えた筆記具の後部の拡大縦断面図である。第２例の消去具を備えた筆記具と異なる点は、ノックカバー４５が消去具の汚れを防ぐ単なるカバー部材であり、消去具としては用いない点である。その代わりに、消去部材ホルダ４７を第１の消去部材である熱変色インク用の消去具１０の材料で形成することによって、熱変色インク用の消去具１０として使用する。
【００２３】
図６は、本発明における第３例の消去具を備えた筆記具の使用状態を示す後部の拡大縦断面図である。熱変色インクの筆跡を消去する場合には、熱変色インク用の消去具１０である消去部材ホルダ４７をノックパイプ４６から取り外し、消去部材ホルダ４７で筆跡を擦過し、摩擦熱を生じさせて消去する。
【００２４】
他方、鉛筆芯の筆跡を消去する場合には、鉛筆芯用の消去具１１を消去部材ホルダ４７と共にノックパイプ４６から取り外し、鉛筆芯用の消去具１１によって筆跡を擦過して消去する。このとき、鉛筆芯用の消去具１１は、消去部材ホルダ４７に取り付けた状態で使用してもよく、又は消去部材ホルダ４７から取り外した単体の状態で使用してもよい。
【００２５】
なお、本実施例において、消去部材ホルダ４７に保持される消去具を熱変色インク用の消去具１０の材料で形成することによって、熱変色インク用の消去具として利用してもよく、消去部材ホルダ４７を鉛筆芯用の消去具１１の材料で形成することによって、鉛筆芯用の消去具として利用してもよい。
【００２６】
図７は、本発明における第４例の消去具を備えた筆記具の縦断面図である。図７（ａ）は、ボールペン等筆記体５１を突出させた状態、図７（ｂ）は、シャープペンシル筆記体５２を突出させた状態を示す。複式筆記具の後方端には、第１の消去部材である熱変色インク用の消去具１０として使用可能なノックカバー４５が取り付けられている。ノックカバー４５内には、軸筒３１の後端部に対して、消去部材ホルダ４７が固定して取り付けられている。消去部材ホルダ４７は、第２の消去部材である鉛筆芯用の消去具１１を保持している。従って、鉛筆芯用の消去具１１は、円柱状に形成され、消去部材ホルダ４７に対して着脱可能である。
【００２７】
軸筒３１内には熱変色性である熱変色インク又は消しゴム消去性インクが充填されているボールペン等筆記体５１と鉛筆芯又は熱変色芯が内蔵されているシャープペンシル筆記体５２とが収容されている。一本の筆記具に二種類以上の筆記体と二種類の消去具を一体で収容することで、筆記具ケース等への収納を容易とし、携帯性に優れた筆記具及び消去具にすることができる。なお、ボールペン等筆記体における筆記部は、液体のインクであればボールペン体、サインペン体、筆体等であってもよい。
【００２８】
筆記体の選択動作として、軸筒３１に対してクリップ６０を回転すると円筒カム５３の回転に伴うカム斜面５４によって何れかの筆記体を選択してその筆記先端部を口プラ３２の先端口から突出させることが可能となる。また、選択された筆記体がシャープペンシル筆記体５２の場合には熱変色インク用の消去具１０の後端をノックして芯を繰り出す。
【００２９】
鉛筆芯等の筆跡を消去する場合は、ノックカバー４５である熱変色インク用の消去具１０を取り外して鉛筆芯用の消去具１１を使用する。また、熱変色インク用の消去具１０は、筆記具に装着した状態でも取り外した単体の状態でも使うことができる。
【００３０】
図８は、本発明における第５例の消去具を備えた筆記具の縦断面図である。図８（ａ）は、ボールペン等筆記体５１を突出させた状態、図８（ｂ）は、シャープペンシル筆記体５２を突出させた状態を示す。第４例と異なる点は、ノックカバー４５である熱変色インク用の消去具１０と鉛筆芯用の消去具１１とが、二色成形、接着等により一体に構成され、消去部材ホルダ４７に対して着脱可能となっている点である。なお、消去部材ホルダ４７において鉛筆芯用の消去具１１と嵌合する内面には、軸方向に複数のリブが形成されており、筆記具の後端側を鉛直下方に向けても鉛筆芯用の消去具１１が脱落しないようになっている。
【００３１】
なお、第４例及び第５例において、消去部材ホルダ４７に保持される消去具を熱変色インク用の消去具１０の材料で形成することによって、熱変色インク用の消去具として利用してもよく、ノックカバー４５を鉛筆芯用の消去具１１の材料で形成することによって、鉛筆芯用の消去具として利用してもよい。
【００３２】
上述した本発明の実施例によれば、筆記具による筆記描線を消去するための消去具であって、該消去具は液体のインクによる筆記描線を消去する第１の消去部材と固体による筆記描線を消去する第２の消去部材とが一体に構成されたことを特徴とする。それにより、筆記具のインクや芯の種類によらず、筆跡を消去可能な消去具を備えた筆記具を提供することができる。
【００３３】
また、第１の消去部材及び第２の消去部材は、ＪＩＳ  Ｋ６２５３に規定されるデュロメータＡ硬度又はデュロメータＤ硬度が互いに異なることを特徴とすることで、消去時において第１の消去部材と第２の消去部材との区別が容易となり、簡便に使い分けることができる。
【００３４】
また、熱変色インク用の消去具は、ゴム弾性を有する材料や、軟質プラスチック、半硬質プラスチックが選ばれ、各種の熱可塑性樹脂、熱硬化性材料、熱可塑性材料、無機物・有機物の焼結体などの少なくとも１種（各単独、又は２種以上の混合物）を使用することにより構成することが望ましい。熱変色インク用の消去具として用いることができる熱可塑性材料としては、オレフィン系、スチレン系、ウレタン系、ポリエステル系、フッ素系などの熱可塑性エラストマーを用いることができ、また、熱硬化性材料としては、例えば、シリコーン系、エポキシ系、ウレタン系、メラミン系、尿素系、フェノール系などの各種合成ゴムや天然ゴムを用いることができる。さらにポリプロピレン樹脂及びスチレン系熱可塑性エラストマーの混合物、またはポリプロピレン樹脂及びポリプロピレン系熱可塑性エラストマーの混合物からなり、その配合比率がそれぞれ重量比で１：１〜１：４、更に好ましくは、オレフィン系樹脂とオレフィン系熱可塑性エラストマーの混合物からなり、その配合比率が重量比で１：２．５〜１：３．５となるものが、筆跡の消去に際し、摩擦熱の発生が容易であり、自己摩耗が少ないものとなるので、特に望ましい。
【００３５】
また、鉛筆芯用の消去具は、ＪＩＳ  Ｓ６０５０  ３．２性能に記載される事項を満たした消しゴムで用いられる、塩化ビニル樹脂からなる塩ビ字消し、スチレン系熱可塑性エラストマーあるいはオレフィン系熱可塑性エラストマーからなる非塩ビ字消し及び天然ゴムからなる字消し等が選ばれる。
【００３６】
なお、本発明の各消去具の形状等は、特に限定されるものではなく、例えば、円柱状、角柱状、三角柱状、直方体、表面に凹凸や突起を有する複雑な形状としてもよいものであるが、点状に接触可能な角部、面状に接触可能な端部を一体に形成することが望ましい。
【００３７】
また、本発明の第１の消去部材及び第２の消去部材には、本発明の効果を損なわない範囲で、上記材質中に、着色剤、香料などを含有させて装飾性、識別性を向上させてもよく、さらに熱変色材料を含有させて筆跡の消去時に摩擦熱によって、変色可能にしてもよいのである。
【産業上の利用可能性】
【００３８】
以上の通り、本発明は、鉛筆等の固形芯による筆記具での筆跡や、熱変色インクでの筆記具による筆跡でも効果的に消去できる消去具又は消去具を備えた筆記具であり、産業上利用できる有用な発明である。
【符号の説明】
【００３９】
１０    熱変色インク用の消去具（第１の消去部材）
１１    鉛筆芯用の消去具（第２の消去部材）
３１    軸筒
３２    口プラ
３３    内径部
３４    チャック体
３５    締め具
３６    テーパー部分
４１    筆記体
４２    ガイド筒
４３    振り子
４４    スライド駒
４５    ノックカバー
４６    ノックパイプ
４７    消去部材ホルダ
５１    ボールペン等筆記体
５２    シャープペンシル筆記体
５３    円筒カム
５４    カム斜面
【図１】
0006290536.tif 000002
【図２】
0006290536.tif 000003
【図３】
0006290536.tif 000004
【図４】
0006290536.tif 000005
【図５】
0006290536.tif 000006
【図６】
0006290536.tif 000007
【図７】
0006290536.tif 000008
【図８】
0006290536.tif 000009